(57)【特許請求の範囲】
【請求項１】
単一または複数のパートからなる楽曲及びその楽曲の位置情報が記録されている記録媒体からデータを読み出す媒体再生手段と、この読み出されたデータにおける楽曲の先頭部分を記憶する第１のメモリと、前記データにおける前記先頭部分の続きの部分を記憶可能な第２のメモリと、前記データにおける楽曲の位置情報を記憶する位置情報格納メモリと、第１のメモリ及び第２のメモリ及び位置情報格納メモリへのデータの書き込み及び読み出しを制御するメモリ制御手段と、前記メモリ制御手段を通して第１及び第２のメモリからデータを読み出すデータ再生手段と、位置情報格納メモリの情報に応じて、第１のメモリ及び第２のメモリに書き込むデータ、及びデータを読み出す順序を決定して、第１のメモリ及び第２のメモリへの読み書き指令をメモリ制御手段に発行するデータ制御手段とを備え、前記データ制御手段は、第１のメモリにあらかじめ楽曲の先頭部分のデータを書き込む際に、楽曲が記録されているパートの形態に応じた記録形態情報をデータに付加するように構成されていることを特徴とする頭出し再生装置。
【請求項２】
楽曲の先頭部分のデータをあらかじめ第１のメモリに書き込んでおくように構成されるとともに、楽曲再生指令が発行されたときに、第１のメモリからの指定楽曲の先頭部分の読み出し再生動作を行うと同時に、第２のメモリへの前記第１のメモリに書き込んだデータの続きのデータの書き込み動作を行うように構成され、データ制御手段は、楽曲再生指令が発行されて指定楽曲の先頭から再生する際に、前記第２のメモリへ書き込むデータの開始位置を、記録形態情報に応じて決定するように構成されていることを特徴とする請求項１記載の頭出し再生装置。
【請求項３】
データ制御手段は、楽曲再生指令が発行されて指定楽曲の先頭から再生する際に、第１のメモリ及び第２のメモリからデータを読み出す順序を記録形態情報に応じて決定するように構成されていることを特徴とする請求項１または２記載の頭出し再生装置。
【発明の詳細な説明】
【０００１】
【発明の属する技術分野】
本発明は、記録媒体から出力される楽曲等のデータを即座に頭出し再生することのできる頭出し再生装置に関するものである。
【０００２】
【従来の技術】
近年、ミニディスクシステム等、記録媒体のデータを高い転送速度、もしくは圧縮された状態で間欠的にメモリに書き込み、一方で低い転送速度で継続的にメモリから読み出してデータを再生するものが登場している。このメモリの活用方法としては、従来は振動時の音飛び防止機能を発現させることが中心であったが、最近では、例えば特開平７−２１６９２号公報に示されているように、楽曲を再生する前に、あらかじめ楽曲の先頭部分だけメモリに書き込んでおき、楽曲再生指令が発行されたら、メモリから指定楽曲の先頭部分の読み出し再生を行うと同時に、メモリへの続きのデータの書き込み動作を行うことによって、楽曲の先頭を再生するまでの待ち時間をなくす方法が挙げられている。
【０００３】
【発明が解決しようとする課題】
しかしながら、上記の従来の技術を記載した公報では、楽曲の記録形態、すなわち、連続して記録されている領域（これを「パート」と定義する）の長さや数については言及されていない。このため、例えば楽曲の長さが極端に短い場合や極端に分割記録されている場合には、あらかじめメモリに書き込まれているデータの終了位置の検出方法や、楽曲再生指令が発行されたときにメモリへ書き込む続きのデータの開始位置の算出方法が繁雑になるという問題点を有していた。
【０００４】
本発明は、上記従来の問題点を解決するもので、いかなる記録形態の楽曲でも、スキップ再生やプログラム再生などの楽曲再生指令が発行されてから音声が出力されるまでの待ち時間を、簡単な処理で短縮することができる頭出し再生装置を提供することを目的とする。
【０００５】
【課題を解決するための手段】
この目的を達成するために本発明の頭出し再生装置は、単一または複数のパートからなる楽曲及びその楽曲の位置情報が記録されている記録媒体からデータを読み出す媒体再生手段と、この読み出されたデータにおける楽曲の先頭部分を記憶する第１のメモリと、前記データにおける前記先頭部分の続きの部分を記憶可能な第２のメモリと、前記データにおける楽曲の位置情報を記憶する位置情報格納メモリと、第１のメモリ及び第２のメモリ及び位置情報格納メモリへのデータの書き込み及び読み出しを制御するメモリ制御手段と、前記メモリ制御手段を通して第１及び第２のメモリからデータを読み出すデータ再生手段と、位置情報格納メモリの情報に応じて、第１のメモリ及び第２のメモリに書き込むデータ、及びデータを読み出す順序を決定して、第１のメモリ及び第２のメモリへの読み書き指令をメモリ制御手段に発行するデータ制御手段とを備え、前記データ制御手段は、第１のメモリにあらかじめ楽曲の先頭部分のデータを書き込む際に、楽曲が記録されているパートの形態に応じた記録形態情報をデータに付加するように構成されているようにしたものである。
【０００６】
このような構成であると、第１のメモリにあらかじめ楽曲の先頭部分のデータを書き込む際に、楽曲が記録されているパートの形態すなわちパートの長さやパートの数などに応じた記録形態情報をデータに付加するという簡単な処理だけで、第１及び第２のメモリからデータを読み出して再生を行う場合に、記録形態情報に応じてデータの読み出しの手法を変更することができることになって、いかなる記録形態の楽曲でも、楽曲再生指令が発行されたときに瞬時に音声が出力されることになる。
【０００７】
【発明の実施の形態】
請求項１記載の本発明は、単一または複数のパートからなる楽曲及びその楽曲の位置情報が記録されている記録媒体からデータを読み出す媒体再生手段と、この読み出されたデータにおける楽曲の先頭部分を記憶する第１のメモリと、前記データにおける前記先頭部分の続きの部分を記憶可能な第２のメモリと、前記データにおける楽曲の位置情報を記憶する位置情報格納メモリと、第１のメモリ及び第２のメモリ及び位置情報格納メモリへのデータの書き込み及び読み出しを制御するメモリ制御手段と、前記メモリ制御手段を通して第１及び第２のメモリからデータを読み出すデータ再生手段と、位置情報格納メモリの情報に応じて、第１のメモリ及び第２のメモリに書き込むデータ、及びデータを読み出す順序を決定して、第１のメモリ及び第２のメモリへの読み書き指令をメモリ制御手段に発行するデータ制御手段とを備え、前記データ制御手段は、第１のメモリにあらかじめ楽曲の先頭部分のデータを書き込む際に、楽曲が記録されているパートの形態に応じた記録形態情報をデータに付加するように構成されていることを特徴とする。
【０００８】
これにより、第１のメモリにあらかじめ楽曲の先頭部分のデータを書き込む際に、楽曲が記録されているパートの形態に応じた記録形態情報をデータに付加するという簡単な処理だけで、第１及び第２のメモリからデータを読み出して再生を行う場合に、記録形態情報に応じてデータの読み出しの手法を変更することができることになって、いかなる記録形態の楽曲でも、楽曲再生指令が発行されたときに瞬時に音声が出力されることになる。
【０００９】
請求項２記載の本発明は、楽曲の先頭部分のデータをあらかじめ第１のメモリに書き込んでおくように構成されるとともに、楽曲再生指令が発行されたときに、第１のメモリからの指定楽曲の先頭部分の読み出し再生動作を行うと同時に、第２のメモリへの前記第１のメモリに書き込んだデータの続きのデータの書き込み動作を行うように構成され、データ制御手段は、楽曲再生指令が発行されて指定楽曲の先頭から再生する際に、前記第２のメモリへ書き込むデータの開始位置を、記録形態情報に応じて決定するように構成されていることを特徴とする。
【００１０】
これにより、指定楽曲の先頭部分の終了に続いて、適切に次の部分が再生されることになる。
【００１１】
請求項３記載の本発明は、データ制御手段が、楽曲再生指令が発行されて指定楽曲の先頭から再生する際に、第１のメモリ及び第２のメモリからデータを読み出す順序を記録形態情報に応じて決定するように構成されていることを特徴とする。
【００１２】
これにより、同様に指定楽曲の先頭部分の終了に続いて、適切に次の部分が再生されることになる。
【００１３】
本発明の実施の形態によれば、データ制御手段は、メモリ制御手段を介してあらかじめ第１のメモリに楽曲の先頭から所定量のデータを書き込み、その動作が終了する時に、楽曲が記録されているパートの長さや数に応じて「  次セクタ継続コード」  「次曲再生コード」「次パート再生コード」の３通りの記録形態情報をデータに付加する。なお、単数または複数のセクタによって一つのパートが形成され、単数または複数のパートによって一つの楽曲が形成される。
【００１４】
そして、楽曲再生指令が発行されて楽曲の先頭から再生する際に、上述のように第２のメモリへ書き込む続きのデータの開始位置を記録形態情報に応じて決定し、メモリ制御手段を介して第２のメモリへ書き込む。さらに、第１のメモリ及び第２のメモリからデータを読み出す順序も記録形態情報に応じて決定する。このようにして、いかなる記録形態の楽曲にも、簡単な処理で、楽曲再生指令が発行されてから音声が出力されるまでの待ち時間を短縮することができる頭出し再生を実現する。
【００１５】
以下、本発明の実施の形態について、図面を参照しながら説明する。
図１は本発明の頭出し再生装置の構成を示すブロック図である。図１において、１は光ディスクであり、所定のトラック形態をもち、セクタ単位で圧縮データが記録されている。２は光ディスク１を回転させる回転手段、３は光ディスク１の記録再生面に光ビームを集光して光スポットを形成し、その反射光を検出する光ピックアップ、４は光ピックアップ３を光ディスク１の半径方向に移動させる送りモータ、５は光ピックアップ３の出力から制御信号や情報再生信号を生成するＲＦアンプ、６はＲＦアンプ５から出力された情報再生信号を復調する信号復調手段、７は回転手段２及び光ピックアップ３及び送りモータ４を制御するサーボ回路である。これら光ピックアップ３、ＲＦアンプ５、信号復調手段６によって媒体再生手段が構成されている。
【００１６】
８は光ディスク１に記録されている楽曲の位置情報を記憶する位置情報格納メモリ、９は楽曲の先頭部分を記憶する第１のメモリ、１０は楽曲全体を記憶する第２のメモリである。また１１は、第１のメモリ９及び第２のメモリ１０及び位置情報格納メモリ８へのデータの書き込み及び読み出しを制御するメモリ制御手段である。１２は伸張手段で、第１のメモリ９または第２のメモリ１０に書き込まれた、圧縮されたデータを伸長する。１３はＤ／Ａコンバータで、伸長手段１２の出力であるディジタル信号をアナログ音声信号に変換する。これら伸張手段１２及びＤ／Ａコンバータによって、データ再生手段を構成する。
【００１７】
１４はデータ制御手段としてのマイクロプロセッサ（以下「ＭＰＵ」と記す）で、位置情報格納メモリ８の情報に応じて、第１のメモリ９及び第２のメモリ１０に書き込むデータ、及びデータを読み出す順序を決定して、第１のメモリ９及び第２のメモリ１０への読み書き指令をメモリ制御手段１１に発行する。１５は楽曲再生指令を発行するキーである。
【００１８】
以上のように構成された頭出し再生装置について、以下動作を説明する。
まず、システムの停止時あるいは間欠再生の待機時に、ＭＰＵ１４は、メモリ制御手段１１を介して、位置情報格納メモリ８から、楽曲の最初のパート位置情報を取得した後、サーボ回路７を制御して回転手段２、光ピックアップ３、送りモータ４を動作させ、楽曲の先頭にアクセスして光ディスク１から情報再生信号を読み取る。そして、メモリ制御手段１１を介して、第１のメモリ９に、楽曲の先頭部分すなわち先頭から所定量のデータを書き込む（以上の動作を「先行書き込み」と定義する）。この先行書き込みを所定曲数分行い、終了したら、サーボ回路７を制御して、例えば回転手段２、光ピックアップ３、送りモータ４を停止させる。
【００１９】
そして、キー１５からの入力を検出したら、メモリ制御手段１１を介して、再生する楽曲の先頭部分を第１のメモリ９から読み出して伸長手段１２に出力し、Ｄ／Ａコンバータ１３を通して音声を出力する。かつ、これと同時に、サーボ回路７を制御して回転手段２、光ピックアップ３、送りモータ４を動作させ、光ディスク１から情報再生信号を読み取り、メモリ制御手段１１を介して第２のメモリ１０に続きのデータを書き込む。
【００２０】
図２はＭＰＵ１４が実行する頭出し再生のための先行書き込みのための処理を記述したフローチャートであり、Ｆ２０１〜Ｆ２１２で示される。以下その動作を説明する。
【００２１】
ＭＰＵ１４は、メモリ制御手段１１を介して、位置情報格納メモリ８から、これから書き込む楽曲の最初のパート位置情報を取得する（Ｆ２０１）。その後、サーボ回路７を制御して回転手段２、光ピックアップ３、送りモータ４を動作させ、楽曲の先頭にアクセスして光ディスク１から情報再生信号を読み取る。そして、メモリ制御手段１１を介して第１のメモリ９に楽曲の先頭から所定量のデータを書き込む。このとき、１セクタを書き込むごとに、先行書き込みのセクタ数が所定量に達したかを判別する（Ｆ２０２）。まだ所定量に達していない場合は、現在書き込んでいるデータのアドレスがパートの終了アドレスに到達したかを判別する（Ｆ２０３）。まだ終了アドレスに到達していない場合は、Ｆ２０２の処理に戻り、Ｆ２０２またはＦ２０３の判定条件が真となるまで２つの判別を繰り返す。
【００２２】
一方、パートの終了アドレスに到達した場合、すなわちパートのセクタ数が先行書き込みを行う所定セクタ数より小さい場合は、同じ楽曲内で次のパートが存在するかどうかを判別する（Ｆ２０４）。次のパートが存在する場合は、メモリ制御手段１１を介して位置情報格納メモリ８から次のパートの位置情報を取得し（Ｆ２０５）、Ｆ２０２の処理に戻る。すなわち、先行書き込みのセクタ数が所定量に達するまで、次以降のパートのデータを書き込む。次のパートが存在しない場合は、その楽曲が終了したことになるので、データに付加する情報（  以下「セクタ情報」と記す）  を「  次曲再生コード」  と設定し（Ｆ２０６）、所定曲数の先行書き込みが終了したかどうかを判別する（Ｆ２１２）。終了していない場合は、Ｆ２０１の処理に戻り、次の楽曲の先行書き込みを行う。終了した場合は、サーボ回路７を制御して、例えば回転手段２、光ピックアップ３、送りモータ４を停止させる。
【００２３】
図５に、第１のメモリ９及び第２のメモリ１０に書き込む内容のセクタの構成を示す。５０はＭＰＵ１４が任意の値を設定できるセクタ情報、５１は光ディスク１に記録されているアドレス、５２は光ディスク１に記録されている圧縮されたオーディオデータである。すなわち、メモリ制御手段１１は、光ディスク１に記録されたデータを第１のメモリ９及び第２のメモリ１０に書き込む際に、セクタ情報を付加する。
【００２４】
先行書き込みのセクタ数が所定量に達した場合、すなわちＦ２０２の判定条件が真となった場合も、現在書き込んでいるデータのアドレスがパートの終了アドレスに到達したかを判別する（Ｆ２０７）。まだ終了アドレスに到達していない場合、すなわちパートのセクタ数が先行書き込みを行う所定セクタ数より大きい場合は、セクタ情報を「  次セクタ継続コード」  と設定し（Ｆ２１１）、指定された曲数の先行書き込みが終了したかどうかを判別する（Ｆ２１２）。終了していない場合は、Ｆ２０１の処理に戻り、次の楽曲の先行書き込みを行う。終了した場合は、サーボ回路７を制御して、例えば回転手段２、光ピックアップ３、送りモータ４を停止させる。
【００２５】
一方、Ｆ２０７においてパートの終了アドレスに到達した場合、すなわちパートのセクタ数と先行書き込みを行う所定セクタ数が等しい場合は、同じ楽曲内で次のパートが存在するかどうかを判別する（Ｆ２０８）。次のパートが存在する場合はセクタ情報を「  次パート再生コード」  と設定する（Ｆ２１０）。次のパートが存在しない場合はセクタ情報を「  次曲再生コード」  と設定し（Ｆ２０９）、指定された曲数の先行書き込みが終了したかどうかを判別する（Ｆ２１２）。終了していない場合は、Ｆ２０１の処理に戻り、次の楽曲の先行書き込みを行う。終了した場合は、サーボ回路７を制御して、例えば回転手段２、光ピックアップ３、送りモータ４を停止させる。
【００２６】
図６に、図２のフローチャートに従って先行書き込みを行ったときの第１のメモリ９の内容の一例を示す。ここでは、先行書き込みの楽曲数は５とし、次セクタ継続コードを「ＡＡ」、次曲再生コードを「ＢＢ」、次パート再生コードを「ＣＣ」とする。以下、各曲の先行書き込みについて説明する。
【００２７】
まず、１曲目は、パートの長さが先行書き込みを行う長さより大きいので、図２のＦ２１１にしたがい、先行書き込みデータの最終セクタのセクタ情報に、次セクタ継続コード「ＡＡ」を書き込む。２曲目は、パートの長さと先行書き込みを行う長さが等しく、かつ同楽曲内で複数のパートが存在しているので、Ｆ２１０にしたがい、先行書き込みデータの最終セクタのセクタ情報に、次パート再生コード「ＣＣ」を書き込む。３曲目は、パートの長さが先行書き込みを行う長さより短く、かつ同楽曲内で複数のパートが存在しているので、最初のパートを書き込んだ後、その続きに２番目のパートを書き込む（Ｆ２０５など）。そして、図６のように次のパートの長さが先行書き込みを行う長さより大きいので、Ｆ２１１にしたがい先行書き込みデータの最終セクタのセクタ情報には次セクタ継続コード「ＡＡ」を書き込む。４曲目は、パートの長さと先行書き込みを行う長さが等しく、かつ同楽曲内で一つのパートしか存在していないので、Ｆ２０９にしたがい、先行書き込みデータの最終セクタのセクタ情報に、次曲再生コード「ＢＢ」を書き込む。５曲目は、パートの長さが先行書き込みを行う長さより短く、かつ同楽曲内で一つのパートしか存在していないので、楽曲が終了したセクタのセクタ情報に、次曲再生コード「ＢＢ」を書き込む。
【００２８】
以上のようにして、第１のメモリ９に先行書き込みを行う。
【００２９】
図３は、ＭＰＵ１４が実行する頭出し再生方法にを用いた楽曲の再生指令が発行されたときに第２のメモリ１０へ書き込むデータの開始位置を検索する部分を記述したフローチャートであり、Ｆ３０１〜Ｆ３０９で示される。以下その動作を説明する。
【００３０】
ＭＰＵ１４は、キー１５からの入力を検出したら、メモリ制御手段１１を介して、第１のメモリ９から再生する楽曲の先行書き込みデータの最終セクタのセクタ情報のコードを読み取る（Ｆ３０１）。そして、そのセクタ情報のコードにより３通りの処理を行う（Ｆ３０２）。まず、「次セクタ継続コード：ＡＡ」の場合は、先行書き込みデータにおける最終セクタの次セクタを目標アドレスとする（Ｆ３０５）。「  次パート再生コード：ＣＣ」  の場合は、メモリ制御手段１１を介して、位置情報格納メモリ８から次のパートの位置情報を取得し（Ｆ３０３）、次パート開始アドレスを目標アドレスとする（Ｆ３０４）。最後に「次曲再生コード：ＢＢ」の場合は、次の楽曲の先頭部分が第１のメモリ９に書かれているかを判別し（Ｆ３０６）、書かれている場合は、メモリ制御手段１１を介して第１のメモリ９から次の楽曲の先行書き込みデータの最終セクタのセクタ情報のコードを読み取り（Ｆ３０９）、Ｆ３０２の処理に戻る。書かれていない場合は、メモリ制御手段１１を介して、位置情報格納メモリ８から次の楽曲の位置情報を取得し（Ｆ３０７）、次の楽曲の開始アドレスを目標アドレスとする（Ｆ３０８）。
【００３１】
そして、サーボ回路７を制御して回転手段２、光ピックアップ３、送りモータ４を動作させ、目標アドレスにアクセスして光ディスク１から情報再生信号を読み取り、メモリ制御手段１１を介して第２のメモリ１０にデータを書き込む。
【００３２】
図４は、ＭＰＵ１４が実行する頭出し再生方法の楽曲再生指令が発行されたときに先行書き込みデータを読み出す部分を記述したフローチャートであり、Ｆ４０１〜Ｆ４０７で示される。以下その動作を説明する。なお、伸長するオーディオデータの最小単位はサウンドグループ（  以下「ＳＧ」と記す）  とし、５．  ５ＳＧで１セクタとする。また、データの読み出し速度は、伸長データの再生速度と同等であるので、データの書き込み速度よりも低速となる。
【００３３】
ＭＰＵ１４は、キー１５からの入力を検出したら、再生する楽曲の先頭部分をメモリ制御手段１１を介して第１のメモリ９から読み出し、伸長手段１２に出力し、Ｄ／Ａコンバータ１３を通して音声を出力する。このとき、１ＳＧを読み出すごとに、そのＳＧが属しているセクタのセクタ情報を読み出す（Ｆ４０１）。そして、セクタ情報のコードにより３通りの処理を行う（Ｆ４０２）。まず、どのコードにも対応しない場合、すなわち、「次セクタ継続コード」「次パート再生コード」「次曲再生コード」以外の場合は、Ｆ４０１の処理に戻る。
【００３４】
「次セクタ継続コード」または「次パート再生コード」の場合は、現在読み出しているデータのＳＧがセクタの最終ＳＧであるかを判別する（Ｆ４０６）。最終ＳＧである場合は、次の読み出しタイミングからは第２のメモリ１０の先頭から順番に読み出す（Ｆ４０７）ことになり、第１のメモリ９からのデータの読み出しを終了し、通常の再生処理となる。最終ＳＧでない場合は、Ｆ４０１の処理に戻る。
【００３５】
「次曲再生コード」の場合は、次の楽曲の先頭部分が第１のメモリ９に書かれているかを判別する（Ｆ４０３）。書かれていない場合は、Ｆ４０６の処理に飛び、「次セクタ継続コード」または「次パート再生コード」の場合と同様の処理を行う。書かれている場合は、現在読み出しているデータのＳＧがセクタの最終ＳＧであるかを判別し（Ｆ４０４）、最終ＳＧでない場合は、Ｆ４０１の処理に戻る。最終ＳＧである場合は、次の読み出しタイミングからは第１のメモリ９の次の楽曲の先頭から順番に読み出し（Ｆ４０５）、Ｆ４０１の処理に戻る。
【００３６】
図６の例に以上の処理をあてはめると、１、２、３、５曲目の場合は、セクタ情報に「ＡＡ」「ＢＢ」「ＣＣ」のいずれかが書き込んであるセクタの最終ＳＧまで到達したら、次のタイミングからは第２のメモリ１０の先頭から順番に読み出す（Ｆ４０７）。４曲目の場合は、Ｆ４０４でセクタ情報に「ＢＢ」が書き込んであるセクタの最終ＳＧまで到達したら、次は第１のメモリ９の５曲目の先頭へ飛んで、５曲目の先行書き込み分を読み出す（Ｆ４０５）。そして、セクタ情報に「ＢＢ」が書き込んであるセクタが所定量に達したら、次のタイミングからは第２のメモリ１０の先頭から順番に読み出す。
【００３７】
以上のように、先行書き込みデータにセクタ情報のコードを付加することによって、第２のメモリ１０へ書き込むデータの開始位置の検索及び先行書き込みデータの読み出し終了位置の検出が簡単に実現できる。
【００３８】
なお、パートの長さが先行書き込みを行う所定の長さよりも短い場合、本実施の形態においては短い分だけ空白にしておいたが、空白にせず、次の先行書き込みを行う楽曲の格納開始位置をその分だけ前にずらしても良い。
【００３９】
本実施の形態においては、メモリを、位置情報格納メモリ８、第１のメモリ９第２のメモリ１０の３個に分割したが、これらのメモリを１個のメモリで実現しても良い。
【００４０】
【発明の効果】
以上説明したように本発明によれば、簡単な処理で、いかなる記録形態の楽曲でも、楽曲再生指令が発行されてから瞬時に音声を出力することができる。
【図面の簡単な説明】
【図１】本発明の実施の形態の頭出し再生装置の構成を示すブロック図である。
【図２】図１の装置における先行書き込み部分の処理内容を示すフローチャートである。
【図３】図１の装置において楽曲再生指令が発行されたときに第２のメモリへ書き込むデータの開始位置を検索するための処理内容を示すフローチャートである。
【図４】図１の装置において楽曲再生指令が発行されたときに先行書き込みデータを読み出すための処理内容を示すフローチャートである。
【図５】図１の装置における情報再生信号の内部構成の説明図である。
【図６】図１の装置における第１のメモリの内容の説明図である。
【符号の説明】
８    位置情報格納メモリ
９    第１のメモリ
１０    第２のメモリ
１１    メモリ制御手段
１４    ＭＰＵ
【図１】
0003582995.tif 000002
【図２】
0003582995.tif 000003
【図３】
0003582995.tif 000004
【図４】
0003582995.tif 000005
【図５】
0003582995.tif 000006
【図６】
0003582995.tif 000007